(57)【要約】【課題】センサーが作動しているか否かを容易に確認することができる照明器具を提供する。【解決手段】照明器具１は、センサー３０と、主光源部２０と、制御部４０とを備える。センサー３０は、所定の切替操作で作動状態または非作動状態に切り替え可能である。主光源部２０は、点灯状態を切り替え可能である。制御部４０は、センサー３０と主光源部２０とを制御する。制御部４０は、所定の切替操作を検知することによってセンサーが作動状態または非作動状態へ切り替わるようにセンサー３０を制御する。制御部４０は、所定の切替操作を検知した際、センサーの作動状態または非作動状態への切り替えの少なくとも一方が行われたことを示す報知動作を行う。【選択図】図１
2017168209.tif 000002
【特許請求の範囲】
【請求項１】
所定の切替操作で作動状態または非作動状態に切り替え可能なセンサーと、
点灯状態を切り替え可能な主光源部と、
前記センサーと前記主光源部とを制御する制御部と
を備え、
前記制御部は、前記所定の切替操作を検知することによって前記センサーが作動状態または非作動状態へ切り替わるように前記センサーを制御し、
前記制御部は、前記所定の切替操作を検知した際、前記センサーの作動状態または非作動状態への切り替えの少なくとも一方が行われたことを示す報知動作を行う、照明器具。
【請求項２】
前記制御部は、前記センサーの作動状態への切り替えが行われてから、前記センサーが作動可能な状態になるまでに前記報知動作を行う、請求項１に記載の照明器具。
【請求項３】
前記制御部は、前記センサーの非作動状態への切り替えが行われてから、前記主光源部が点灯するまでに前記報知動作を行う、請求項１または請求項２に記載の照明器具。
【請求項４】
前記制御部は、前記主光源部が点滅することによって前記報知動作を行うように前記主光源部を制御する、請求項１から請求項３のいずれか１項に記載の照明器具。
【請求項５】
補助光源部をさらに備え、
前記制御部は、前記補助光源部が点灯または点滅することによって前記報知動作を行うように前記補助光源部を制御する、請求項１から請求項４のいずれか１項に記載の照明器具。
【請求項６】
音声を出力する音声出力部をさらに備え、
前記制御部は、前記音声出力部が音声を出力することによって前記報知動作を行うように前記音声出力部を制御する、請求項１から請求項５のいずれか１項に記載の照明器具。
【請求項７】
外部スイッチで点灯および消灯を切り替え可能な照明器具であって、
前記制御部は、前記外部スイッチによって電力の供給が一時的に停止された時間が所定時間範囲内であるか否かに基づいて、前記所定の切替操作が行われたか否かを判定する、請求項１から請求項６のいずれか１項に記載の照明器具。
【請求項８】
リモートコントローラーからの切替信号を受信する受信部をさらに備え、
前記制御部は、前記受信部が受信した前記切替信号に基づいて、前記所定の切替操作が行われたか否かを判定する、請求項１から請求項６のいずれか１項に記載の照明器具。
【請求項９】
切替スイッチをさらに備え、
前記制御部は、前記切替スイッチの操作に基づいて、前記所定の切替操作が行われたか否かを判定する、請求項１から請求項６のいずれか１項に記載の照明器具。
【請求項１０】
前記報知動作は、
第１報知動作と、
前記第１報知動作とは異なる第２報知動作と
を含み、
前記制御部は、
前記センサーの非作動状態への切り替えが行われた場合、前記第１報知動作を行い、
前記センサーの作動状態への切り替えが行われた場合、前記第２報知動作を行う、請求項１から請求項９のいずれか１項に記載の照明器具。
【請求項１１】
前記センサーは、人感センサーまたは照度センサーの少なくとも一方を含む、請求項１から請求項１０のいずれか１項に記載の照明器具。
【請求項１２】
所定の切替操作で作動状態または非作動状態に切り替え可能なセンサーの状態が切り替えられたことを報知する報知方法であって、
前記所定の切替操作を検知する工程と、
前記所定の切替操作を検知した際、前記センサーの作動状態または非作動状態への切り替えの少なくとも一方が行われたことを示す報知動作を行う工程とを包含する、報知方法。
【発明の詳細な説明】
【技術分野】
【０００１】
本発明は、照明器具および報知方法に関する。
【背景技術】
【０００２】
従来、人感センサーのようなセンサーを備える照明器具が知られている。特許文献１に記載の照明装置は、防犯動作モードと、通常動作モードとを有している。特許文献１に記載の照明装置は、防犯動作モードにおいて、人感センサーが人を検知すると、照明器具をフラッシュ点灯させる防犯動作を行う。一方、特許文献１に記載の照明装置は、通常動作モードにおいて、防犯動作は行わない。特許文献１に記載の照明装置は、動作モードの切り替えを切替手段によって行う。切替手段は、例えば、ワイヤレスリモコンの操作、壁スイッチ操作によるプルレス操作（電源瞬断操作）または器具スイッチの操作である。
【先行技術文献】
【特許文献】
【０００３】
【特許文献１】特開２００３−２０３７８４号公報
【発明の概要】
【発明が解決しようとする課題】
【０００４】
しかしながら、特許文献１に記載の照明装置では、防犯機能が作動しているか否かを目視で判別することができなかった。すなわち、特許文献１に記載の照明装置では、センサーが作動しているか否かを目視で判別することができなかった。
【０００５】
本発明は上記課題に鑑みてなされたものであり、その目的はセンサーが作動しているか否かを容易に確認することができる照明器具および報知方法を提供することにある。
【課題を解決するための手段】
【０００６】
本発明に開示する照明器具は、センサーと、主光源部と、制御部とを備える。前記センサーは、所定の切替操作で作動状態または非作動状態に切り替え可能である。前記主光源部は、点灯状態を切り替え可能である。前記制御部は、前記センサーと前記主光源部とを制御する。前記制御部は、前記所定の切替操作を検知することによって前記センサーが作動状態または非作動状態へ切り替わるように前記センサーを制御する。前記制御部は、前記所定の切替操作を検知した際、前記センサーの作動状態または非作動状態への切り替えの少なくとも一方が行われたことを示す報知動作を行う。
【０００７】
本願に開示する照明器具において、前記制御部は、前記センサーの作動状態への切り替えが行われてから、前記センサーが作動可能な状態になるまでに前記報知動作を行うことが好ましい。
【０００８】
本願に開示する照明器具において、前記制御部は、前記センサーの非作動状態への切り替えが行われてから、前記主光源部が点灯するまでに前記報知動作を行うことが好ましい。
【０００９】
本願に開示する照明器具において、前記制御部は、前記主光源部が点滅することによって前記報知動作を行うように前記主光源部を制御することが好ましい。
【００１０】
本願に開示する照明器具において、補助光源部をさらに備えることが好ましい。前記制御部は、前記補助光源部が点灯または点滅することによって前記報知動作を行うように前記補助光源部を制御することが好ましい。
【００１１】
本願に開示する照明器具において、音声出力部をさらに備えることが好ましい。前記音声出力部は、音声を出力することが好ましい。前記制御部は、前記音声出力部が音声を出力することによって前記報知動作を行うように前記音声出力部を制御することが好ましい。
【００１２】
本願に開示する照明器具において、前記照明器具は、外部スイッチで点灯および消灯を切り替え可能であることが好ましい。前記制御部は、前記外部スイッチによって電力の供給が一時的に停止された時間が所定時間範囲内であるか否かに基づいて、前記所定の切替操作が行われたか否かを判定することが好ましい。
【００１３】
本願に開示する照明器具において、受信部をさらに備えることが好ましい。前記受信部は、リモートコントローラーからの切替信号を受信することが好ましい。前記制御部は、前記受信部が受信した前記切替信号に基づいて、前記所定の切替操作が行われたか否かを判定することが好ましい。
【００１４】
本願に開示する照明器具において、切替スイッチをさらに備えることが好ましい。前記制御部は、前記切替スイッチの操作に基づいて、前記所定の切替操作が行われたか否かを判定することが好ましい。
【００１５】
本願に開示する照明器具において、前記報知動作は、第１報知動作と、第２報知動作とを含むことが好ましい。前記第２報知動作は、前記第１報知動作とは異なることが好ましい。前記制御部は、前記センサーの非作動状態への切り替えが行われた場合、前記第１報知動作を行うことが好ましい。前記制御部は、前記センサーの作動状態への切り替えが行われた場合、前記第２報知動作を行うことが好ましい。
【００１６】
本願に開示する照明器具において、前記センサーは、人感センサーまたは照度センサーの少なくとも一方を含むことが好ましい。
【００１７】
本願に開示する報知方法は、所定の切替操作で作動状態または非作動状態に切り替え可能なセンサーの状態が切り替えられたことを報知する報知方法である。前記報知方法は、前記所定の切替操作を検知する工程と、前記所定の切替操作を検知した際、前記センサーの作動状態または非作動状態への切り替えの少なくとも一方が行われたことを示す報知動作を行う工程とを包含する。
【発明の効果】
【００１８】
本発明の照明器具は、センサーが作動しているか否かを容易に確認することができる。
【図面の簡単な説明】
【００１９】
【図１】（ａ）は、本発明の実施形態に係る照明器具の正面側を示す斜視図である。（ｂ）は、本発明の実施形態に係る照明器具の正面側を示す平面図である。
【図２】本発明の実施形態に係る照明器具のブロック図である。
【図３】本発明の実施形態に係る照明器具の報知方法を示すフローチャートである。
【図４】本発明の実施形態に係る照明器具の報知方法を示すフローチャートである。
【図５】本発明の実施形態に係る照明器具の報知方法を示すフローチャートである。
【図６】本発明の実施形態に係る照明器具の報知方法を示すフローチャートである。
【図７】本発明の実施形態に係る照明器具の報知方法を示すフローチャートである。
【図８】本発明の実施形態に係る照明器具の正面側を示す平面図である。
【図９】本発明の実施形態に係る照明器具の正面側を示す平面図である。
【図１０】本発明の実施形態に係る照明器具の正面側を示す平面図である。
【図１１】本発明の実施形態に係る照明器具の正面側を示す平面図である。
【発明を実施するための形態】
【００２０】
以下、本発明の実施形態について、図面を参照しながら説明する。なお、図中、同一または相当部分については同一の参照符号を付して説明を繰り返さない。
【００２１】
図１を参照して、本発明の実施形態に係る照明器具１について説明する。図１（ａ）は、本発明の実施形態に係る照明器具１の正面側を示す斜視図である。図１（ｂ）は、本発明の実施形態に係る照明器具１の正面側を示す平面図である。図１（ａ）および図１（ｂ）に示すように、照明器具１は、略円板状であり、主光源部２０と、センサー３０と、制御部４０と、カバー７と、パネル９と、外装部材１１とを備える。例えば、照明器具１は、天井のような天壁または側壁に取り付けられる。
【００２２】
主光源部２０は、点灯状態を切り替え可能である。主光源部２０は、複数のＬＥＤ（Ｌｉｇｈｔ  Ｅｍｉｔｔｉｎｇ  Ｄｉｏｄｅ）２０ａと、基板２０ｂとを含む。複数のＬＥＤ２０ａは略円形または略多角形の基板２０ｂに実装される。ＬＥＤ２０ａは発光素子として機能する。例えば、主光源部２０は、ＳＭＤ（Ｓｕｒｆａｃｅ  Ｍｏｕｎｔ  Ｄｅｖｉｃｅ）タイプである。ＳＭＤタイプは、ＬＥＤ２０ａと蛍光体とを１ユニット化してＬＥＤチップを形成し、複数のＬＥＤチップを基板２０ｂの実装面に載置して基板２０ｂの導電パターンに電気的に接続することにより主光源部２０を形成するタイプである。例えば、主光源部２０は、ＣＯＢ（Ｃｈｉｐ  ｏｎ  Ｂｏａｒｄ）タイプであってもよい。ＣＯＢタイプは、複数のＬＥＤ２０ａを蛍光体で封止することにより主光源部２０を形成するタイプである。なお、主光源部２０は１つのＬＥＤ２０ａを含んでいてもよい。
【００２３】
カバー７は主光源部２０を覆う。カバー７は、略優弧状の外縁と略直線状の外縁とを含む。カバー７は、例えば、ＬＥＤ２０ａが発光した光を拡散して出射する。例えば、カバー７は、光拡散材料を混ぜた樹脂を板状に成形することによって形成される。例えば、カバー７は、透明の板状部材の光出射面または光入射面に微小な凹凸を設けることによって形成される。例えば、カバー７は、白色のような色彩を有する。
【００２４】
センサー３０は、例えば、人感センサーであり、人もしくは動物などが放射する赤外線を検知する。センサー３０は、平面視において、主光源部２０と異なる位置に配置される。センサー３０は、パネル９に形成された略円形状の開口部５２から露出する。センサー３０は、所定の切替操作で作動状態または非作動状態に切り替え可能である。所定の切替操作は、例えば、プルレス操作である。プルレス操作は、外部スイッチがオンの状態からオフの状態に切り替えられ、所定時間範囲内にオンの状態に切り替えられる操作である。所定時間は、例えば、２秒以下である。
【００２５】
パネル９は、略劣弧状の外縁と略直線状の外縁とを含む。パネル９は、カバー７に隣接し、パネル９とカバー７とで、略円形を形成する。パネル９は遮光する。パネル９の全部が遮光することが好ましいが、パネル９の一部が遮光してもよい。例えば、パネル９は、遮光する材料で形成され、または遮光する塗料で塗装される。外装部材１１は、略円筒状であり、照明器具１の外装を形成する。
【００２６】
照明器具１は、連続点灯モードと、センサーモードとの２つの動作モードを有する。連続点灯モードは、主光源部２０を連続的に点灯するモードである。センサーモードは、センサー３０の検知結果に基づいて主光源部２０が点灯または消灯するモードである。具体的には、センサー３０が赤外線を検知することによって人が近づいてきたことを検知すると、照明器具１は点灯する。
【００２７】
制御部４０は、センサー３０と主光源部２０とを制御する。制御部４０は、例えば、マイクロコンピューターを含む。制御部４０は、所定の切替操作を検知する。具体的には、外部スイッチによって電力の供給が一時的に停止された時間が所定時間範囲内であることを制御部４０が検知すると、制御部４０は、プルレス操作が行われたと判定する。
【００２８】
制御部４０は、所定の切替操作を検知することによって、センサー３０が作動状態または非作動状態に切り替わるようにセンサー３０を制御する。例えば、センサー３０が非作動状態である場合、プルレス操作が行われることによって、センサー３０は作動状態に切り替わる。一方、センサー３０が作動状態である場合、プルレス操作が行われることによって、センサー３０は非作動状態に切り替わる。
【００２９】
このように、プルレス操作が行われるたびに、制御部４０は、照明器具１の動作モードを切り替える。すなわち、プルレス操作が行われるたびに、制御部４０は、センサー３０が作動状態または非作動状態に切り替わるようにセンサー３０を制御する。
【００３０】
制御部４０は、所定の切替操作を検知した際、センサー３０の作動状態または非作動状態への切り替えの少なくとも一方が行われたことを示す報知動作を行う。報知動作は、例えば、主光源部２０の点滅である。主光源部２０の点滅の回数は、例えば３回である。具体的には、主光源部２０が全灯から消灯の切替えを３回繰り返す。あるいは、全灯時の光量を１００％とした場合、「１００％の光量で全灯」から「５０％の光量で点灯」の切り替えを３回繰り返してもよい。例えば、制御部４０は、プルレス操作を検知した際、主光源部２０が点滅することによって報知動作を行うように主光源部２０を制御する。したがって、ユーザーは、主光源部２０が点滅するのを確認することによって、センサー３０が作動状態または非作動状態に切り替えられたことを容易に確認することができる。
【００３１】
図２を参照して、本発明の実施形態に係る照明器具１についてさらに説明する。図２は、本発明の実施形態に係る照明器具１のブロック図である。照明器具１は、電源回路１０と、主光源部２０と、センサー３０と、制御部４０とを備える。照明器具１は、外部スイッチ１２０を介して交流電源１１０に接続される。外部スイッチ１２０は、壁スイッチである。外部スイッチ１２０がオンになると、交流電源１１０から電力が照明器具１に供給される。一方、外部スイッチ１２０がオフになると、交流電源１１０から照明器具１に供給される電力が遮断される。
【００３２】
電源回路１０は、主光源部２０と、制御部４０と、センサー３０とに接続される。電源回路１０は、主光源部２０と、制御部４０と、センサー３０とへ給電する。
【００３３】
制御部４０は、主光源部２０と、センサー３０とに接続される。制御部４０は、センサー３０と主光源部２０とを制御する。
【００３４】
図１および図３を参照して、本発明の実施形態に係る照明器具１の報知方法について説明する。図３は、本発明の実施形態に係る照明器具１の報知方法を示すフローチャートである。ステップＳ１０２〜ステップＳ１１２の処理が実行されることによって報知動作が行われる。
【００３５】
ステップＳ１０２：制御部４０は、所定の切替操作を検知する。具体的には、外部スイッチによって電力の供給が一時的に停止された時間が所定時間範囲内であることを制御部４０が検知し、制御部４０は、プルレス操作が行われたと判定する。制御部４０がプルレス操作が行われたと判定した場合、制御部４０は、照明器具１の動作モードを切り替える。処理はステップＳ１０４に進む。
【００３６】
ステップＳ１０４：制御部４０は、照明器具１の動作モードを判別する。処理はステップＳ１０６に進む。
【００３７】
ステップＳ１０６：制御部４０は、照明器具１の動作モードが連続点灯モードまたはセンサーモードのいずれであるかを判定する。制御部４０が、照明器具１の動作モードが連続点灯モードであると判定した場合（ステップＳ１０６：連続点灯モード）、制御部４０は、センサー３０の非作動状態への切り替えを開始し、処理はステップＳ１０８に進む。制御部４０が、照明器具１の動作モードがセンサーモードであると判定した場合（ステップＳ１０６：センサーモード）、センサー３０の作動状態への切り替えを開始し、処理はステップＳ１１０に進む。
【００３８】
ステップＳ１０８：主光源部２０が連続的に点灯するように主光源部２０を制御する。
【００３９】
ステップＳ１１０：制御部４０は、報知動作を行う。具体的には、制御部４０は、主光源部２０が点滅することによって報知動作を行うように主光源部２０を制御する。処理はステップＳ１１２に進む。
【００４０】
ステップＳ１１２：センサー３０は、センサー待機状態となる。具体的には、センサー３０は作動可能な状態になり、センサー３０は、人の接近を検知することが可能な状態となる。処理は終了する。
【００４１】
以上、図１および図３を参照して説明したように、照明器具１において、制御部４０は、所定の切替操作を検知した際、センサー３０の作動状態への切り替え（すなわち、照明器具１の動作モードのセンサーモードへの切り替え）が行われたことを示す報知動作を行う。したがって、ユーザーは、報知動作を確認することによって、センサー３０が作動状態に切り替えられたことを容易に確認することができる。
【００４２】
また、制御部４０は、センサー３０の作動状態への切り替えが行われてから、センサー３０が作動可能な状態になるまでに報知動作を行う。したがって、ユーザーは、センサー３０が作動可能になる前に、センサー３０の作動状態への切り替えが行われたことを確認することができる。その結果、ユーザーは、センサー３０が作動状態に切り替えられたことを比較的短い時間で確認することができる。
【００４３】
また、制御部４０は、主光源部２０が点滅するように主光源部２０を制御し報知動作を行う。制御部４０は、主光源部２０の点灯制御のために元々照明器具１に備えるものである。したがって、制御部４０のソフトウェアを書き換えるだけで報知動作の機能を追加することができる。このように、元々照明器具１に備える制御部４０が主光源部２０を制御し報知動作を行うため、報知動作を行うための追加の部品が不要であり、コストの増加を抑制することができる。さらに、照明器具１が高い位置に設置された場合であっても、照明器具１に設けられたスイッチを確認することなく、センサー３０が作動状態に切り替えられたことを容易に確認することができる。
【００４４】
図１および図４を参照して、本発明の実施形態に係る照明器具１の報知方法について説明する。図４は、本発明の実施形態に係る照明器具１の報知方法を示すフローチャートである。ステップＳ２０２〜ステップＳ２１６の処理が実行されることによって報知動作が行われる。センサー３０が安定するまでの期間に主光源部２０が強制点灯する点を除いて、図３のフローチャートと同様の処理であるため、重複部分については説明を省略する。
【００４５】
図４に示すように、ステップＳ２１０（図３に示されたステップＳ１１０に対応）と、ステップＳ２１６（図３に示されたステップＳ１１２に対応）との間に、ステップＳ２１２およびステップＳ２１４の処理が行われる。
【００４６】
ステップＳ２１２：制御部４０は、センサー３０が安定するまでの期間に主光源部２０が強制点灯するように主光源部２０を制御する。処理はステップＳ２１４に進む。
【００４７】
ステップＳ２１４：制御部４０は、主光源部２０が消灯するように主光源部２０を制御する。処理はステップＳ２１６に進む。
【００４８】
以上、図１および図４を参照して説明したように、制御部４０は、センサー３０の作動状態への切り替えが行われてから、主光源部２０を強制点灯するまでに報知動作を行う。したがって、ユーザーは、センサー３０が作動可能になる前に、センサー３０の作動状態への切り替えが行われたことを確認することができる。その結果、ユーザーは、センサー３０が作動状態に切り替えられたことを比較的短い時間で確認することができる。
【００４９】
図１および図５を参照して、本発明の実施形態に係る照明器具１の報知方法について説明する。図５は、本発明の実施形態に係る照明器具１の報知方法を示すフローチャートである。ステップＳ３０２〜ステップＳ３２０の処理が実行されることによって報知動作が行われる。連続点灯モードにおいて、点灯開始から所定の時間経過後に主光源部２０が消灯する点を除いて、図４のフローチャートと同様の処理であるため、重複部分については説明を省略する。
【００５０】
図５に示すように、ステップＳ３０８（図４に示されたステップＳ２０８に対応）の後に、ステップＳ３１０およびステップＳ３１２の処理が行われる。
【００５１】
ステップＳ３１０：制御部４０は、主光源部２０の点灯開始から所定の時間経過したか否かを判定する。例えば、制御部４０は、主光源部２０の点灯開始からの時間をカウントするタイマー機能によって、主光源部２０の点灯開始からの時間を計測する。所定の時間は、例えば８時間である。制御部４０が主光源部２０の点灯開始から所定の時間経過していないと判定した場合（ステップＳ３１０：ＮＯ）、処理は再びステップＳ３１０に戻る。制御部４０が主光源部２０の点灯開始から所定の時間経過したと判定した場合（ステップＳ３１０：Ｙｅｓ）、処理はステップＳ３１２に進む。
【００５２】
ステップＳ３１２：制御部４０は、主光源部２０が消灯するように主光源部２０を制御する。そして、制御部４０は、センサー３０の非作動状態への切り替えを開始する。処理はステップＳ３２０に進む。
【００５３】
以上、図１および図５を参照して説明したように、連続点灯モードにおいて、制御部４０は、主光源部２０の点灯開始から所定の時間経過後に主光源部２０を消灯する。したがって、自動的に主光源部２０を消灯することによって、電力の消費を抑制することができる。
【００５４】
図３〜図５を参照して説明した報知方法では、センサーモードに切り替えられた際に報知動作を行っていたが、連続点灯モードに切り替えられた際に報知動作を行ってもよい。
【００５５】
図１および図６を参照して、本発明の実施形態に係る照明器具１の報知方法について説明する。図６は、本発明の実施形態に係る照明器具１の報知方法を示すフローチャートである。ステップＳ４０２〜ステップＳ４１２の処理が実行されることによって報知動作が行われる。連続点灯モードに切り替えられた際に報知動作を行う点を除いて、図３のフローチャートと同様の処理であるため、重複部分については説明を省略する。
【００５６】
図６に示すように、ステップＳ４０６（図３に示されたステップＳ１０６に対応）で制御部４０が、照明器具１の動作モードが連続点灯モードであると判定した場合（ステップＳ４０６：連続点灯モード）、ステップＳ４０８の処理が行われる。
【００５７】
ステップＳ４０８：制御部４０は、報知動作を行う。具体的には、制御部４０は、主光源部２０が点滅することによって報知動作を行うように主光源部２０を制御する。処理はステップＳ４１０に進む。
【００５８】
以上、図１および図６を参照して説明したように、照明器具１において、制御部４０は、所定の切替操作を検知した際、非作動状態への切り替え（すなわち、照明器具１の動作モードの連続点灯モードへの切り替え）が行われたことを示す報知動作を行う。したがって、ユーザーは、報知動作を確認することによって、センサー３０が非作動状態に切り替えられたことを容易に確認することができる。
【００５９】
図３〜図６を参照して説明した報知方法では、センサーモードまたは連続点灯モードのいずれか一方に切り替えられた際に報知動作を行っていたが、センサーモードおよび連続点灯モードのいずれに切り替えられた際にも報知動作を行ってもよい。
【００６０】
図１および図７を参照して、本発明の実施形態に係る照明器具１の報知方法について説明する。図７は、本発明の実施形態に係る照明器具１の報知方法を示すフローチャートである。ステップＳ５０２〜ステップＳ５１４の処理が実行されることによって報知動作が行われる。連続点灯モードに切り替えられた際と、センサーモードに切り替えられた際との、いずれに切り替えられた際にも報知動作を行う点を除いて、図３のフローチャートと同様の処理であるため、重複部分については説明を省略する。
【００６１】
報知動作は、第１報知動作と、第２報知動作とを含む。第１報知動作は、例えば、主光源部２０の３回点滅である。第２報知動作は、第１報知動作とは異なる。第２報知動作は、例えば、主光源部２０の５回点滅である。
【００６２】
図７に示すように、ステップＳ５０６（図３に示されたステップＳ１０６に対応）で制御部４０が、照明器具１の動作モードが連続点灯モードであると判定した場合（ステップＳ５０６：連続点灯モード）、ステップＳ５０８の処理が行われる。ステップＳ５０６（図３に示されたステップＳ１０６に対応）で制御部４０が、照明器具１の動作モードがセンサーモードであると判定した場合（ステップＳ５０６：センサーモード）、ステップＳ５１２の処理が行われる。
【００６３】
ステップＳ５０８：制御部４０は、第１報知動作を行う。具体的には、制御部４０は、主光源部２０が３回点滅することによって第１報知動作を行うように主光源部２０を制御する。処理はステップＳ５１０に進む。
【００６４】
ステップＳ５１２：制御部４０は、第２報知動作を行う。具体的には、制御部４０は、主光源部２０が５回点滅することによって第２報知動作を行うように主光源部２０を制御する。処理はステップＳ５１４に進む。
【００６５】
以上、図１および図７を参照して説明したように、照明器具１において、照明器具１の動作モードが連続点灯モードであると制御部４０が判定した場合、制御部４０は、第１報知動作を行う。一方、照明器具１の動作モードがセンサーモードであると判定した場合、制御部４０は、第２報知動作を行う。したがって、ユーザーは、報知動作を確認することによって、照明器具１の動作モードが連続点灯モードまたはセンサーモードのいずれに切り替えられたかを容易に確認することができる。すなわち、ユーザーは、報知動作を確認することによって、センサー３０が作動状態または非作動状態のいずれに切り替えられたかを容易に確認することができる。
【００６６】
図８を参照して、本発明の実施形態に係る照明器具１について説明する。図８は、本発明の実施形態に係る照明器具１の正面側を示す平面図である。照明器具１が、補助光源部６０と、切替スイッチ７０とをさらに備える点を除いて、図１の照明器具１と同様の構成であるため、重複部分については説明を省略する。
【００６７】
照明器具１は、補助光源部６０と、切替スイッチ７０とをさらに備える。補助光源部６０は、例えば、ＬＥＤインジケータである。補助光源部６０は、パネル９に取り付けられる。補助光源部６０は、主光源部２０よりも光量が小さい。制御部４０は、所定の切替操作を検知した際、補助光源部６０によって、報知動作を行ってもよい。具体的には、制御部４０は、補助光源部６０が点灯または点滅するように補助光源部６０を制御し報知動作を行ってもよい。なお、主光源部２０と補助光源部６０とは光色を異ならせてもよい。
【００６８】
本実施形態では、照明器具１は、主光源部２０よりも光量が小さい補助光源部６０によって報知動作を行う。したがって、照明器具１が住宅の外部に設置されている場合、夜間に報知動作が行われたとしても、近隣の住宅へ迷惑をかけることを抑制することができる。
【００６９】
また、所定の切替操作を検知した際、制御部４０は、補助光源部６０が点灯するように補助光源部６０を制御し報知動作を行った場合、補助光源部６０の点灯状態を確認することで、現在の照明器具１の動作モード、すなわち、現在、センサー３０が作動状態または非作動状態のいずれであるかを容易に確認することができる。
【００７０】
図１を参照して説明した照明器具１では、外部スイッチのプルレス操作によって照明器具１の動作モードを切り替えていたが、照明器具１の切替スイッチ７０の切り替えによって、照明器具１の動作モードを切り替えてもよい。切替スイッチ７０は、ツマミ７１を有する。ツマミ７１は、スライド可能である。ツマミ７１をスライドさせることによって、照明器具１の動作モードを変更することができる。切替スイッチ７０の切り替えによって切替操作が行われた際、制御部４０は報知動作を行う。したがって、ユーザーは、報知動作を確認することによって、センサー３０が作動状態または非作動状態に切り替えられたことを容易に確認することができる。
【００７１】
なお、図１を参照して説明したように照明器具１では、主光源部２０を点滅させて報知動作を行っていたが、本発明においては音声の主力によって報知動作を行ってもよい。
【００７２】
図９を参照して、本発明の実施形態に係る照明器具１について説明する。図９は、本発明の実施形態に係る照明器具１の正面側を示す平面図である。照明器具１が、音声出力部８０をさらに備える点を除いて、図１の照明器具１と同様の構成であるため、重複部分については説明を省略する。
【００７３】
照明器具１は、音声出力部８０をさらに備える。音声出力部８０は、音声を出力する。音声出力部８０は、例えば、ブザー音を出力する。制御部４０は、所定の切替操作を検知した際、音声出力部８０が音声を出力することによって報知動作を行うように音声出力部８０を制御する。したがって、昼間の屋外のように主光源の点灯および消灯の目視での確認が困難な場合であっても、センサー３０が作動状態または非作動状態に切り替えられたことを容易に確認することができる。
【００７４】
なお、図１を参照して説明した照明器具１では、主光源部２０は、光源が１系統であったが、主光源部２０は、光源が２系統であってもよい。
【００７５】
図１０を参照して、本発明の実施形態に係る照明器具１について説明する。図１０は、本発明の実施形態に係る照明器具１の正面側を示す平面図である。主光源部２０が、第１主光源部２１と、第２主光源部２２とを含む点を除いて、図１の照明器具１と同様の構成であるため、重複部分については説明を省略する。
【００７６】
主光源部２０は、第１主光源部２１と、第２主光源部２２と、基板２０ｂとを含む。第１主光源部２１は、複数のＬＥＤ２１ａを含む。第２主光源部２２は、複数のＬＥＤ２２ａを含む。第２主光源部２２は、第１主光源部２１よりも径方向外側に配置される。第１主光源部２１の色温度と、第２主光源部２２の色温度とは、例えば異なる。
【００７７】
制御部４０は、所定の切替操作を検知した際、第１主光源部２１と、第２主光源部２２とのうちのいずれか一方のみを点滅するように制御してもよい。あるいは、制御部４０は、所定の切替操作を検知した際、第１主光源部２１および第２主光源部２２を交互に点滅するように制御してもよい。さらに、あるいは、制御部４０は、センサー３０の非作動状態への切り替えが行われた場合、第１主光源部２１を点滅するように制御し、制御部４０は、センサー３０の非作動状態への切り替えが行われた場合、第２主光源部２２を点滅するように制御してもよい。したがって、ユーザーは、報知動作を確認することによって、センサー３０が作動状態または非作動状態に切り替えられたことを容易に確認することができる。
【００７８】
図１を参照して説明した照明器具１では、外部スイッチのプルレス操作によって照明器具１の動作モードを切り替えており、図８を参照して説明した照明器具１では、照明器具１の切替スイッチ７０によって照明器具１の動作モードを切り替えていたが、リモートコントローラーの操作によって照明器具１の動作モードを切り替えるようにしてもよい。
【００７９】
図１１を参照して、本発明の実施形態に係る照明器具１について説明する。図１１は、本発明の実施形態に係る照明器具１の正面側を示す平面図である。照明器具１が受信部９０をさらに備える点を除いて、図１の照明器具１と同様の構成であるため、重複部分については説明を省略する。
【００８０】
照明器具１は、受信部９０をさらに備える。受信部９０は、リモートコントローラーからの切替信号を受信する。本実施形態では受信部９０とリモートコントローラーとは、赤外線や電波などを介した無線通信が可能である。受信部９０は、制御部４０と電気的に接続される。具体的には、リモートコントローラーにおいて照明器具１の動作モードの変更を示す操作が行われた際、リモートコントローラーから切替信号が送信される。受信部９０が切替信号を受信すると、制御部４０に切替信号が出力される。制御部４０は、切替信号に基づいて、所定の切替操作が行われたか否かを判定する。制御部４０は、所定の切替操作が行われたと判定した場合、制御部４０は報知動作を行う。したがって、ユーザーは、報知動作を確認することによって、センサー３０が作動状態または非作動状態に切り替えられたことを容易に確認することができる。
【００８１】
以上、図面（図１〜図１１）を参照しながら本発明の実施形態を説明した。但し、本発明は、上記の実施形態に限られるものではなく、その要旨を逸脱しない範囲で種々の態様において実施することが可能である（例えば、下記に示す（１）〜（６））。図面は、理解しやすくするために、それぞれの構成要素を主体に模式的に示しており、図示された各構成要素の厚み、長さ、個数等は、図面作成の都合上から実際とは異なる。また、上記の実施形態で示す各構成要素の材質や形状、寸法等は一例であって、特に限定されるものではなく、本発明の効果から実質的に逸脱しない範囲で種々の変更が可能である。
【００８２】
（１）図１および図８〜図１１を参照して説明したように照明器具１では、センサー３０は、人感センサーであったが、本発明はこれに限定されない。例えば、センサー３０は照度センサーでもよい。照度センサーは、環境の明るさを検知する。制御部４０は、所定の切替操作を検知することによって、照度センサーが作動状態または非作動状態に切り替わるように照度センサーを制御する。また、照明器具１は、人感センサーと照度センサーとの両方を備えてもよい。照明器具１が人感センサーと照度センサーとの両方を備える場合、所定の切替操作で、両方のセンサーがオン（作動）→人感センサーのみオン→照度センサーのみオン→両方のセンサーをオフ（非作動）と切り替えるように制御部４０がセンサー３０を制御するようにしてもよい。
【００８３】
（２）図１を参照して説明した照明器具１では、制御部４０が、主光源部２０が３回点滅することによって報知動作を行うように制御していたが、これに限定されない。例えば、制御部４０は、主光源部２０が１回、２回、または４回以上点滅することによって報知動作を行うように制御してもよい。
【００８４】
（３）図７を参照して説明した報知方法では、第１報知動作と、第２報知動作とで主光源部２０の点滅回数が異なっていたがこれに限定されない。例えば、第１報知動作と、第２報知動作とで主光源部２０の点滅の周期が異なっていてもよい。
【００８５】
（４）図１０を参照して説明した照明器具１では、第１主光源部２１の色温度と、第２主光源部２２の色温度とは異なっていたが、これに限定されない。例えば、第１主光源部２１の色温度と、第２主光源部２２の色温度とは同じでもよい。また、第１主光源部２１の光量と第２主光源部２２との光量とを異ならせてもよい。
【００８６】
（５）図１および図８〜図１１を参照して説明した照明器具１では、所定の切替操作によって、１つの照明器具１のセンサー３０の作動状態または非作動状態の切替を行っていたが、これに限定されない。所定の切替操作によって、複数の照明器具１のセンサー３０の作動状態または非作動状態への切替が行われてもよい。例えば、複数の照明器具１を備える照明システムにおいて、所定の切替操作によって、複数の照明器具１のそれぞれのセンサー３０が同じ状態（作動状態または非作動状態）になるようにセンサー３０の状態の切替が一斉に行われてもよい。この場合、複数の照明器具１のそれぞれの制御部４０は、所定の切替操作を検知した際、一斉に報知動作を行う。例えば、複数の照明器具１のそれぞれの主光源部２０が点滅する。
【００８７】
（６）図１および図８〜図１１を参照して説明した照明器具１では、所定の切替操作が行われるたびに、制御部４０は、センサー３０が作動状態と非作動状態とを交互に切り替わるようにセンサー３０を制御するように構成されていたが、これに限定されない。例えば、所定の切替操作が行われた場合、制御部４０は、センサー作動状態から非作動状態への切り換えのみ制御するように構成してもよい。あるいは、所定の切替操作が行われた場合、制御部４０は、センサー非作動状態から作動状態への切り換えのみ制御するように構成してもよい。
【符号の説明】
【００８８】
１        照明器具
２０      主光源部
２１      第１主光源部
２２      第２主光源部
３０      センサー
４０      制御部
６０      補助光源部
７０      切替スイッチ
８０      音声出力部
９０      受信部
【図１】
2017168209.tif 000003
【図２】
2017168209.tif 000004
【図３】
2017168209.tif 000005
【図４】
2017168209.tif 000006
【図５】
2017168209.tif 000007
【図６】
2017168209.tif 000008
【図７】
2017168209.tif 000009
【図８】
2017168209.tif 000010
【図９】
2017168209.tif 000011
【図１０】
2017168209.tif 000012
【図１１】
2017168209.tif 000013